(57)【要約】【課題】効率よくマイナスイオンを供給できると共に整備性に優れた送風機を提供すること。【解決手段】電動機５と、羽根６と、この羽根６の前方を着脱自在に覆う前保護体９を有するサーキュレータ１に、前記前保護体９とは別体のハウジング１２を設け、このハウジング１２内にマイナスイオン発生部１３を設けると共に、マイナスイオン発生部１３で発生したマイナスイオンを放出する放出孔２０を前記ハウジング１２の正面側で且つ前記羽根６の中心軸上近傍に設けたことで、発生したマイナスイオンを、気流の壁で囲んだ状態で乱されることなく放出して、広い範囲に効率的に供給することができるばかりでなく、前記羽根６の清掃等で前保護体９を取り外しても、ハウジング１２が取り外されることがないので、ハウジング１２内のマイナスイオン発生部１３に電力を供給する電線が捻れたり断線したりする虞を一掃することができる。【選択図】  図２
2004225567.tif 000002
【特許請求の範囲】
【請求項１】
電動機と、この電動機に取り付けられた羽根と、この羽根を覆うと共に着脱自在に設けられた前保護体を有する送風機において、
前記羽根の正面側に前記前保護体とは別体のハウジングを設け、このハウジング内にマイナスイオン発生部を設け、このマイナスイオン発生部で発生したマイナスイオンを放出する放出孔を前記ハウジングの正面側に設けると共に、この放出孔が前記羽根の中心軸上近傍に位置することを特徴とする送風機。
【請求項２】
前記前保護体に、前記ハウジングを避けるように貫通孔を形成したことを特徴とする請求項１記載の送風機。
【請求項３】
前記ハウジングの側面に、前記マイナスイオン発生部に連通する連通孔を形成したことを特徴とする請求項１記載の送風機。
【請求項４】
前記羽根が前記ハウジングの後方で回転すると共に、前記羽根の回転方向の上手側に該当する前記ハウジングの側面に前記連通孔を設けたことを特徴とする請求項３記載の送風機。
【発明の詳細な説明】
【０００１】
【発明が属する技術分野】
本発明は送風機に関するものであり、特にマイナスイオンを発生する送風機に関するものである。
【０００２】
【発明が解決しようとする課題】
従来この種の送風機としては、例えば以下のものが知られている。
【０００３】
【特許文献１】
特開平９−２４５９３５号公報
【０００４】
この送風機は、モーター（電動機）に取り付けられた羽根と、この羽根を覆うガード（前保護体）と、無声放電によって負イオン（マイナスイオン）を発生させる負イオン発生ユニット（マイナスイオン発生部）を有するものである。そして、この発明には、前記モーターを収納するモーターカバー上又は前方のガードの中央に負イオン発生ユニットが設けられているものが記載されている。そして、前記モーターを駆動して羽根を回転させると共に、負イオン発生ユニットを動作させることで、この負イオン発生ユニットから発生した負イオンが、羽根の回転によって発生した気流に乗って前方に放出される。
【０００５】
しかしながら、これらの送風機において、負イオン発生ユニットをモーターカバー上、即ち羽根の上流側に配した場合、発生した負イオンが羽根に衝突して拡散したり、羽根に吸着されたりすることになり、効率よく気流に乗せて負イオンを放出することができないという問題があった。また、負イオン発生ユニットをガードの中央に配した場合、羽根の掃除などのためにガードを取り外す際に負イオン発生ユニットに電力を供給するための配線が邪魔になってしまうという問題があった。そして、この問題を解決するために、前側のガードと後側のガードとの間に電気接点を設けることも考えられるが、前側のガードの着脱を繰り返すことで接触不良が起こり、負イオンを発生できなくなってしまう虞があった。
【０００６】
本発明は以上の問題点を解決し、効率よくマイナスイオンを供給できると共に整備性に優れた送風機を提供することを目的とする。
【０００７】
【課題を解決するための手段】
本発明の請求項１に記載の送風機は、電動機と、この電動機に取り付けられた羽根と、この羽根を覆うと共に着脱自在に設けられた前保護体を有する送風機において、前記羽根の正面側に前記前保護体とは別体のハウジングを設け、このハウジング内にマイナスイオン発生部を設け、このマイナスイオン発生部で発生したマイナスイオンを放出する放出孔を前記ハウジングの正面側に設けると共に、この放出孔が前記羽根の中心軸上近傍に位置するものである。
【０００８】
本発明は以上のように構成することにより、前記マイナスイオン発生部で発生したマイナスイオンが前記ハウジングの正面側に形成された放出孔から放出され、この放出孔から放出されたマイナスイオンが前記電動機によって回転する羽根によって発生した気流によって気流の中心から前方に供給されると共に、前記羽根の掃除等のために前記前保護体を取り外しても、前記ハウジングが取り外されずに前記前保護体だけが取り外される。
【０００９】
また、本発明の請求項２に記載の送風機は、請求項１において、前記前保護体に、前記ハウジングを避けるように貫通孔を形成したものである。
【００１０】
本発明は以上のように構成することにより、前記前保護体の貫通孔に前記ハウジングが位置し、これによって前記放出孔から放出されたマイナスイオンが前記前保護体に衝突することなく前方に供給される。
【００１１】
また、本発明の請求項３に記載の送風機は、請求項１において、前記ハウジングの側面に、前記マイナスイオン発生部に連通する連通孔を形成したものである。
【００１２】
本発明は以上のように構成することにより、前記羽根の回転によって発生した気流の一部が前記連通孔からマイナスイオン発生部に導入され、この気流に乗ってマイナスイオンが放出孔から前方に放出される。
【００１３】
更に、本発明の請求項４に記載の送風機は、請求項３において、前記羽根が前記ハウジングの後方で回転すると共に、前記羽根の回転方向の上手側に該当する前記ハウジングの側面に前記連通孔を設けたものである。
【００１４】
本発明は以上のように構成することにより、前記羽根が回転することで、この羽根の回転方向の上手側から下手側に気流が渦状に流れ、この気流が前記ハウジングにおける前記羽根の回転方向の上手側に該当する側壁に衝突することになり、この上手側の側壁に形成された連通孔からマイナスイオン発生部に気流が導入される。
【００１５】
【発明の実施形態】
以下、本発明の実施形態について、図１乃至図４に基づいて説明する。１は送風機たるサーキュレータである。このサーキュレータ１は、サーキュレータ本体２と、このサーキュレータ本体２を上下方向に首振り自在に支持する脚部３とで構成されている。そして、前記サーキュレータ本体２は、電動機ケース４と、この電動機ケース４内に設けられた電動機５と、この電動機５の回転軸に取り付けられた羽根６と、前記電動機ケース４に対して一体的に設けられると共に前記羽根６の後方を覆う後保護体７と、前記羽根６の前方となるように前記後保護体７の左右方向における中央に取り付けられたマイナスイオン発生装置８と、前記後保護体７の前方に着脱自在に設けられると共に前記羽根６の前方を覆う前保護体９とで構成されている。そして、前記羽根６は、前記電動機５によって右回りに回転するように構成されている。更に、前記前保護体９には、前記マイナスイオン発生装置８の後述するハウジング１２を避けるように、貫通孔９Ａが形成されている。なお、前記電動機ケース４の上方には、前記電動機５の電源のオン／オフ及びこの電動機５の回転数を調節するための操作部１０が設けられている。
【００１６】
前記マイナスイオン発生装置８の外殻は、上方側に設けられた支柱部１１と、中央から下方側にかけて設けられたハウジング１２とで構成されている。そして、前記マイナスイオン発生装置８は、上方の支柱部１１が前記後保護体７の内側上部に当接して固定されていると共に、下方のハウジング１２が前記後保護体７の内側下部に当接して固定されている。また、前記ハウジング１２の内部には、マイナスイオン発生部１３を構成するマイナスイオン発生室１４が形成されている。更に、前記ハウジング１２の内部には、マイナスイオン発生回路１５が設けられていると共に、このマイナスイオン発生回路１５に電気的に接続された、マイナスイオン発生部１３を構成するマイナスイオン発生ユニット１６が前記マイナスイオン発生室１４内に設けられている。このマイナスイオン発生ユニット１６は、絶縁体からなる支持体１７と、この支持体１７に支持される正電極１８及びこの正電極１８と対向する針状の負電極１９とで構成されている。また、前記ハウジング１２の正面側には、放出孔２０と、前記マイナスイオン発生回路１５に電気的に接続されたスイッチ２１と、マイナスイオンの発生を表示する表示部２２が設けられている。なお、前記放出孔２０は、前記マイナスイオン発生装置８が後保護体７に取り付けられた状態において、前記羽根６の中心近傍の前方、即ち前記羽根６の中心軸上近傍に位置する。また、前記ハウジング１２の右側面で且つ前記羽根６の中心よりも低い位置には、前記マイナスイオン発生室１４、即ちマイナスイオン発生部１３に連通する連通孔２３が形成されている。更に、前記マイナスイオン発生回路１５に電力を供給するための電線２４が、前記ハウジング１２の下部から前記後保護体７の下部内側を通って前記電動機ケース４内に延びており、この電動機ケース４から外部に主電線２５が延びている。
【００１７】
次に、本発明の作用について説明する。まず、前記サーキュレータ１を任意の場所に設置し、前記主電線２５の先端に設けられた図示しないプラグを、同じく図示しないコンセントに差し込む。そして、前記操作部１０を操作することで、前記電動機ケース４内の電動機５に電力が供給されてこの電動機５が回転し、これによって、この電動機５の回転軸に取り付けられた羽根６が右回りに回転することになる。なお、このとき前記操作部１０を操作することによって、風量を調節することができる。そして、この羽根６が回転することにより、サーキュレータ本体２の周囲の空気は、後保護体７の後方からサーキュレータ本体２内へ吸引され、羽根６の回転によって前方に押し出されると共に、前保護体９を通過して前方に吹き出されることになる。
【００１８】
そして、前記電動機ケース４と前記ハウジング１２を繋ぐ電線２４によって、前記マイナスイオン発生装置８内のマイナスイオン発生回路１５は、電力が供給されるようになっている。なお、前記操作部１０を操作することによって前記電動機５へ電力が供給されている状態、即ち、この電動機５に取り付けられた羽根６の回転によって送風している状態において、前記マイナスイオン発生回路１５は電力が供給される。そして、前記羽根６の回転によって送風している状態において、前記スイッチ２１を閉じることで、前記マイナスイオン発生室１４内のマイナスイオン発生ユニット１６は、前記マイナスイオン発生回路１５から電力が供給される。このとき、前記マイナスイオン発生ユニット１６では、前記正電極１８と負電極１９の間で放電することによって空気中の酸素分子が負に帯電し、この帯電した酸素分子が空気中の水分を引き寄せることでマイナスイオンが発生する。このとき、前記表示部２２も同時に通電して点灯することになる。即ち、前記マイナスイオン発生部１３においてマイナスイオンを発生させていることは、前記表示部２２の点灯によって表示される。
【００１９】
前記羽根６の回転による気流の一部は、前記ハウジング１２の右側面における前記羽根６の中心よりも下方に形成された連通孔２３からマイナスイオン発生室１４へ流入する。なお、前記ハウジング１２の後方において前記羽根６が回転することになり、この羽根６の回転方向が右回りであること及び前記ハウジング１２が前記マイナスイオン発生装置８の中央から下方側にかけて設けられていることから、前記羽根６は、前記ハウジング１２の後方における前記羽根６の中心よりも下方において、右から左へ移動する。即ち、前記ハウジング１２の右側面は、前記羽根６の回転方向における上手側となる。そして、前記羽根６の回転によって発生する気流は、少なくとも前記羽根６と前保護体９の間において前記羽根６の回転方向に渦を巻きながら前方に進むことになるので、前記気流は、前記羽根６の回転方向である右回りに渦を巻きながら前方に進み、前記ハウジング１２の右側面における前記羽根６の中心よりも下方に衝突することになる。このため、前記気流は前記連通孔２３から前記マイナスイオン発生室１４に流入しやすい。そして、このマイナスイオン発生室１４内に流入した気流に前記マイナスイオン発生ユニット１６によって放電することで、マイナスイオンを持続的に発生させ、この気流に乗せてマイナスイオンを前記放出孔２０から外部に放出する。更に、前記放出孔２０から放出されたマイナスイオンは、前保護体９を通過した気流に乗って前方に送られる。なお、前記前保護体９を通過した気流は、前記前保護体９によって捻れが補正されて、前方に直進する。
【００２０】
また、前記放出孔２０が、前記ハウジング１２の正面における前記羽根６の中心近傍の前方に形成されていることにより、前記放出孔２０から放出されたマイナスイオンは、前記羽根６の回転による気流の中央に放出されることになる。このため、前記放出孔２０から放出されたマイナスイオンは、前保護体９を通過した気流の壁によって囲まれ、乱されることなく広い範囲に送られる。従って、マイナスイオンを効率的に供給することができる。更に、前記前保護体９には、前記ハウジング１２を避けるように貫通孔９Ａが形成されているので、前記ハウジング１２が前記貫通孔９Ａ内に位置するように前記前保護体９を後保護体７に取り付けることで、前記ハウジング１２の正面に形成された放出孔２０の前方が前保護体９によって覆われることがなく、従って、発生したマイナスイオンが前記前保護体９に衝突して電荷を失い電気的に中性の空気に戻ってしまうという虞を少なくすることができる。
【００２１】
そして、前記サーキュレータ１の羽根６に付着した塵埃を除去する場合など、後保護体７から前保護体９を取り外す。このとき、前記マイナスイオン発生装置８のハウジング１２が前記後保護体７に取り付けられており、前記前保護体９だけが取り外されることになるので、前記後保護体７と前記前保護体９が前記電線２４によって繋がるようなことがなく、従って、前記前保護体９を後保護体７に対して着脱する際に前記電線２４が捻れたり断線してしまったりする虞を一掃することができる。即ち、整備性を向上させることができる。
【００２２】
以上のように本発明は、電動機５と、羽根６と、この羽根６の前方を着脱自在に覆う前保護体９を有するサーキュレータ１に、前記前保護体９とは別体のハウジング１２を設け、このハウジング１２内にマイナスイオン発生部１３を設けると共に、マイナスイオン発生部１３で発生したマイナスイオンを放出する放出孔２０を前記ハウジング１２の正面側で且つ前記羽根６の中心軸上近傍に設けたことで、発生したマイナスイオンを、気流の壁で囲んだ状態で乱されることなく放出して、広い範囲に効率的に供給することができるばかりでなく、前記羽根６に付着した塵埃の除去のためなどに前保護体９を取り外しても、ハウジング１２が取り外されることがないので、ハウジング１２内のマイナスイオン発生部１３に電力を供給するための構成が捻れたり断線したり接触不良を起こしたりする虞を一掃することができる。
【００２３】
また本発明は、前記前保護体９に、前記ハウジング１２を避けるように貫通孔９Ａを設けることで、前記マイナスイオン発生部１３で発生したマイナスイオンが前記前保護体９に衝突することがないので、マイナスイオンが前保護体９に衝突することで電荷を失って電気的に中性の空気になってしまう虞を少なくすることができ、従って、発生したマイナスイオンを効率的に供給することができる。
【００２４】
また本発明は、ほぼ無風となる前記羽根６の中心軸上近傍ではなく、前記ハウジング１２の側面に前記連通孔２３を形成し、この連通孔２３を前記マイナスイオン発生部１３に連通させたことで、前記羽根６によって発生した気流の一部を前記連通孔２３から前記マイナスイオン発生部１３に導入してマイナスイオンを持続的に発生させ、この気流に乗せてマイナスイオンを前記放出孔２０から前方に放出するので、発生したマイナスイオンをより効率的に供給することができる。
【００２５】
更に本発明は、前記ハウジング１２の後方において回転する前記羽根６の回転方向の上手側に該当する前記ハウジング１２の右側面に前記連通孔２３を設けたことで、前記羽根６の回転によって気流が右回りの渦状に流れて前記ハウジング１２の右側面に衝突し、前記連通孔２３から前記マイナスイオン発生部１３に気流が導入されることで、効率よく空気を前記マイナスイオン発生部１３に供給し、これによってマイナスイオンを効率よく発生させ、供給することができる。
【００２６】
なお、本発明は以上の実施形態に限定されるものではなく、発明の要旨の範囲内で種々の変形が可能である。例えば、上記実施形態では、羽根を右回りとし、連通孔を、ハウジングの右側面における前記羽根の中心よりも下方に形成しているが、連通孔がハウジングにおける前記羽根の回転方向の上手側に該当する側面に形成されていれば良く、整理すれば表１のようになる。また、前記ハウジングが送風機における斜め位置に設けられている場合であっても、前記連通孔を前記羽根の回転方向の上手側に該当する斜め側面に形成すればよい。
【００２７】
【表１】
2004225567.tif 000003
【００２８】
【発明の効果】
本発明の請求項１に記載の送風機は、電動機と、この電動機に取り付けられた羽根と、この羽根を覆うと共に着脱自在に設けられた前保護体を有する送風機において、前記羽根の正面側に前記前保護体とは別体のハウジングを設け、このハウジング内にマイナスイオン発生部を設け、このマイナスイオン発生部で発生したマイナスイオンを放出する放出孔を前記ハウジングの正面側に設けると共に、この放出孔が前記羽根の中心軸上近傍に位置するものであり、前記マイナスイオン発生部で発生したマイナスイオンが前記ハウジングの正面側に形成された放出孔から放出され、この放出孔から放出されたマイナスイオンが前記電動機によって回転する羽根によって発生した気流によって気流の中心から前方に供給されるので、発生したマイナスイオンを気流の壁で囲んだ状態で乱されることなく広い範囲に効率的に供給することができると共に、前記羽根の掃除等のために前記前保護体を取り外しても、前記ハウジングが取り外されずに前記前保護体だけが取り外されるので、羽根の掃除などが行いやすく、従って整備性を向上させることができる。
【００２９】
また、本発明の請求項２に記載の送風機は、請求項１において、前記前保護体に、前記ハウジングを避ける形状の貫通孔を形成したものであり、前記前保護体の貫通孔に前記ハウジングが位置し、これによって前記放出孔から放出されたマイナスイオンが前記前保護体に衝突することなく前方に供給されるので、発生したマイナスイオンをより効率的に供給することができる。
【００３０】
また、本発明の請求項３に記載の送風機は、請求項１において、前記ハウジングの側面に、前記マイナスイオン発生部に連通する連通孔を形成したものであり、前記羽根の回転によって発生した気流の一部が前記連通孔からマイナスイオン発生部に導入され、この気流に乗ってマイナスイオンが放出孔から前方に放出されるので、発生したマイナスイオンを更に効率的に供給することができる。
【００３１】
更に、本発明の請求項４に記載の送風機は、請求項３において、前記羽根が前記ハウジングの後方で回転すると共に、前記羽根の回転方向の上手側に該当する前記ハウジングの側面に前記連通孔を設けたものであり、前記羽根が回転することで、この羽根の回転方向の上手側から下手側に気流が渦状に流れ、この気流が前記ハウジングにおける前記羽根の回転方向の上手側に該当する側壁に衝突することになり、この上手側の側壁に形成された連通孔からマイナスイオン発生部に気流が導入されるので、羽根の回転によって生じた気流を効率よくマイナスイオン発生部に導入することができ、従って、発生したマイナスイオンを更に効率的に供給することができる。
【図面の簡単な説明】
【図１】本発明の一実施形態を示す送風機の正面図である。
【図２】同上、Ａ−Ａ’断面図である。
【図３】同上、マイナスイオン発生装置の外殻の一部と前保護体を取り外した状態の正面図である。
【図４】同上、図３の要部を拡大した図である。
【符号の説明】
１  サーキュレータ（送風機）
５  電動機
６  羽根
７  後保護体
９  前保護体
９Ａ  貫通孔
１２  ハウジング
１３  マイナスイオン発生部
２０  放出孔
２３  連通孔
【図１】
2004225567.tif 000004
【図２】
2004225567.tif 000005
【図３】
2004225567.tif 000006
【図４】
2004225567.tif 000007
【手続補正書】
【提出日】平成15年10月2日(2003.10.2)
【手続補正１】
【補正対象書類名】明細書
【補正対象項目名】００２８
【補正方法】変更
【補正の内容】
【００２８】
【発明の効果】
本発明の請求項１に記載の送風機は、電動機と、この電動機に取り付けられた羽根と、この羽根を覆うと共に着脱自在に設けられた前保護体を有する送風機において、前記羽根の正面側に前記前保護体とは別体のハウジングを設け、このハウジング内にマイナスイオン発生部を設け、このマイナスイオン発生部で発生したマイナスイオンを放出する放出孔を前記ハウジングの正面側に設けると共に、この放出孔が前記羽根の中心軸上近傍に位置するものであり、前記マイナスイオン発生部で発生したマイナスイオンが前記ハウジングの正面側に形成された放出孔から放出され、この放出孔から放出されたマイナスイオンが前記電動機によって回転する羽根によって発生した気流によって気流の中心から前方に供給されるので、発生したマイナスイオンを気流の壁で囲んだ状態で乱されることなく広い範囲に効率的に供給することができると共に、前記羽根の掃除等のために前記前保護体を取り外しても、前記ハウジングが取り外されずに前記前保護体だけが取り外されるので、羽根の掃除等が行いやすく、従って整備性を向上させることができる。


【手続補正２】
【補正対象書類名】図面
【補正対象項目名】図４
【補正方法】変更
【補正の内容】
【図４】
2004225567.tif 000008